【手続補正書】
【提出日】平成29年12月5日(2017.12.5)
【手続補正１】
【補正対象書類名】特許請求の範囲
【補正対象項目名】全文
【補正方法】変更
【補正の内容】
【特許請求の範囲】
【請求項１】
色変換処理に用いられる特定プロファイルに基づいて画像の入力及び出力のうち少なくとも一方を行う周辺装置を制御可能であり、複数の特定プロファイルを格納部に保持する情報処理装置のコンピュータに、
前記情報処理装置が制御可能な周辺装置のうち、制御対象の周辺装置に関する情報を取得する取得ステップと、
前記複数の特定プロファイルのうちいずれかをユーザに選択させるための選択領域を表示部に表示する表示ステップと、を実行させ、
前記選択領域には、前記取得された情報に対応する特定プロファイルに関する情報と前記取得された情報に対応しない特定プロファイルに関する情報とが並行して表示され、
前記取得された情報に対応する特定プロファイルに関する情報として、前記制御対象の周辺装置に関する情報が表示され、
前記選択領域に表示される情報のうちユーザに選択された情報に対応する特定プロファイルが、入力又は出力時の色変換に使用されることを特徴とするプログラム。
【請求項２】
前記複数の特定プロファイルのうち少なくとも１つの特定プロファイルは、複数の機種の周辺装置が共有しており、
前記取得された情報に対応する特定プロファイルに関する情報として、前記取得された情報に対応する特定プロファイルのディスクリプション及び前記取得された情報に対応する特定プロファイルを共有する複数の機種の周辺装置のうち前記制御対象の周辺装置の機種以外の機種の周辺装置の機種名に関する情報が表示されず、前記制御対象の周辺装置の機種名に関する情報が表示されることを特徴とする請求項１に記載のプログラム。
【請求項３】
前記複数の特定プロファイルのうち少なくとも１つの特定プロファイルは、複数の機種の周辺装置が共有しており、
前記取得された情報に対応しない特定プロファイルに関する情報として、前記取得された情報に対応しない特定プロファイルのディスクリプションが表示され、前記取得された情報に対応しない特定プロファイルを共有する複数の機種の周辺装置の機種名に関する情報が表示されないことを特徴とする請求項１又は２に記載のプログラム。
【請求項４】
インストールされることにより特定プロファイルが前記格納部に格納され、
インストール対象の特定プロファイルが既に前記格納部に格納されている場合、前記インストール対象の特定プロファイルが新たに前記格納部に格納されないように制御されることを特徴とする請求項１〜３のいずれか１項に記載のプロファイル。
【請求項５】
前記情報処理装置が制御可能な周辺装置は、各周辺装置の特徴に応じてグループ化されており、
前記複数の特定プロファイルのうち第１の特定プロファイルは、第１のグループに属する周辺装置に関する情報に対応しており、前記複数の特定プロファイルのうち第２の特定プロファイルは、第２のグループに属する周辺装置に関する情報に対応しており、
前記選択領域に表示される特定プロファイルのディスクリプションとして、当該特定プロファイルに対応しているグループを識別可能な情報が表示されることを特徴とする請求項１〜４のいずれか１項に記載のプログラム。
【請求項６】
前記情報処理装置が制御可能な周辺装置は、各周辺装置の特徴に応じてグループ化されており、
さらに、前記所定のグループに属する周辺装置に関する情報に対応する特定プロファイルが前記格納部に既に格納されている場合、前記所定のグループに属する周辺装置に関する情報に対応する特定プロファイルが新たに前記格納部に格納されないように制御することを特徴とする請求項１〜５のいずれか１項に記載のプログラム。
【請求項７】
前記複数の特定プロファイルのなかに、前記取得された情報に対応する特定プロファイルが複数ある場合、
前記選択領域において、前記取得された情報に対応する複数の特定プロファイルのうち第１の特定プロファイルに関する情報が表示され、前記取得された情報に対応する複数の特定プロファイルのうち第２の特定プロファイルに関する情報が表示されないことを特徴とする請求項１〜６のいずれか１項に記載のプログラム。
【請求項８】
前記第２の特定プロファイルは、前記第１の特定プロファイルよりも生成日時が古いことを特徴とする請求項７に記載のプログラム。
【請求項９】
前記制御対象の周辺装置の機種に関する情報と、前記制御対象の周辺装置が備えるセンサーに関する情報が取得され、
前記複数の特定プロファイルのなかに、前記制御対象の周辺装置の機種に関する情報に対応する特定プロファイルと、前記制御対象の周辺装置が備えるセンサーに関する情報に対応する特定プロファイルとがある場合、
前記選択領域において、前記制御対象の周辺装置の機種に関する情報に対応する特定プロファイルに関する情報が表示され、前記制御対象の周辺装置が備えるセンサーに関する情報に対応する特定プロファイルに関する情報が表示されないことを特徴とする請求項１〜８のいずれか１項に記載のプログラム。
【請求項１０】
前記制御対象の周辺装置に関する情報は、前記制御対象の周辺装置の名称に関する情報であることを特徴とする請求項１〜９のいずれか１項に記載のプログラム。
【請求項１１】
前記取得された情報に対応する特定プロファイルに関する情報として、前記取得された情報に対応する特定プロファイルのディスクリプションが表示されないことを特徴とする請求項１〜１０のいずれか１項に記載のプログラム。
【請求項１２】
前記取得された情報に対応しない特定プロファイルに関する情報として、前記取得された情報に対応する特定プロファイルのディスクリプションが表示されることを特徴とする請求項１〜１１のいずれか１項に記載のプログラム。
【請求項１３】
特定プロファイルは、ＩＣＣプロファイルであることを特徴とする請求項１〜１２のいずれか１項に記載のプログラム。
【請求項１４】
色変換処理に用いられる特定プロファイルに基づいて画像の入力及び出力のうち少なくとも一方を行う周辺装置を制御可能であり、複数の特定プロファイルを格納部に保持する情報処理装置の制御方法であって、
前記情報処理装置が制御可能な周辺装置のうち、制御対象の周辺装置に関する情報を取得する取得ステップと、
前記複数の特定プロファイルのうちいずれかをユーザに選択させるための選択領域を表示部に表示する表示ステップと、を有し、
前記選択領域には、前記取得された情報に対応する特定プロファイルに関する情報と前記取得された情報に対応しない特定プロファイルに関する情報とが並行して表示され、
前記取得された情報に対応する特定プロファイルに関する情報として、前記制御対象の周辺装置に関する情報が表示され、
前記選択領域に表示される情報のうちユーザに選択された情報に対応する特定プロファイルが、入力又は出力時の色変換に使用されることを特徴とする制御方法。
【請求項１５】
前記複数の特定プロファイルのうち少なくとも１つの特定プロファイルは、複数の機種の周辺装置が共有しており、
前記取得された情報に対応する特定プロファイルに関する情報として、前記取得された情報に対応する特定プロファイルのディスクリプション及び前記取得された情報に対応する特定プロファイルを共有する複数の機種の周辺装置のうち前記制御対象の周辺装置の機種以外の機種の周辺装置の機種名に関する情報が表示されず、前記制御対象の周辺装置の機種名に関する情報が表示されることを特徴とする請求項１４に記載の制御方法。
【請求項１６】
前記複数の特定プロファイルのうち少なくとも１つの特定プロファイルは、複数の機種の周辺装置が共有しており、
前記取得された情報に対応しない特定プロファイルに関する情報として、前記取得された情報に対応しない特定プロファイルのディスクリプションが表示され、前記取得された情報に対応しない特定プロファイルを共有する複数の機種の周辺装置の機種名に関する情報が表示されないことを特徴とする請求項１４又は１５に記載の制御方法。
【請求項１７】
インストールされることにより特定プロファイルが前記格納部に格納され、
インストール対象の特定プロファイルが既に前記格納部に格納されている場合、前記インストール対象の特定プロファイルが新たに前記格納部に格納されないように制御されることを特徴とする請求項１４〜１６のいずれか１項に記載の制御方法。
【請求項１８】
前記情報処理装置が制御可能な周辺装置は、各周辺装置の特徴に応じてグループ化されており、
前記複数の特定プロファイルのうち第１の特定プロファイルは、第１のグループに属する周辺装置に関する情報に対応しており、前記複数の特定プロファイルのうち第２の特定プロファイルは、第２のグループに属する周辺装置に関する情報に対応しており、
前記選択領域に表示される特定プロファイルのディスクリプションとして、当該特定プロファイルに対応しているグループを識別可能な情報が表示されることを特徴とする請求項１４〜１７のいずれか１項に記載の制御方法。
【請求項１９】
前記情報処理装置が制御可能な周辺装置は、各周辺装置の特徴に応じてグループ化されており、
さらに、前記所定のグループに属する周辺装置に関する情報に対応する特定プロファイルが前記格納部に既に格納されている場合、前記所定のグループに属する周辺装置に関する情報に対応する特定プロファイルが新たに前記格納部に格納されないように制御することを特徴とする請求項１４〜１８のいずれか１項に記載の制御方法。
【請求項２０】
前記複数の特定プロファイルのなかに、前記取得された情報に対応する特定プロファイルが複数ある場合、
前記選択領域において、前記取得された情報に対応する複数の特定プロファイルのうち第１の特定プロファイルに関する情報が表示され、前記取得された情報に対応する複数の特定プロファイルのうち第２の特定プロファイルに関する情報が表示されないことを特徴とする請求項１４〜１９のいずれか１項に記載の制御方法。
【請求項２１】
前記第２の特定プロファイルは、前記第１の特定プロファイルよりも生成日時が古いことを特徴とする請求項２０に記載の制御方法。
【請求項２２】
前記制御対象の周辺装置の機種に関する情報と、前記制御対象の周辺装置が備えるセンサーに関する情報が取得され、
前記複数の特定プロファイルのなかに、前記制御対象の周辺装置の機種に関する情報に対応する特定プロファイルと、前記制御対象の周辺装置が備えるセンサーに関する情報に対応する特定プロファイルとがある場合、
前記選択領域において、前記制御対象の周辺装置の機種に関する情報に対応する特定プロファイルに関する情報が表示され、前記制御対象の周辺装置が備えるセンサーに関する情報に対応する特定プロファイルに関する情報が表示されないことを特徴とする請求項１４〜２１のいずれか１項に記載の制御方法。
【請求項２３】
前記制御対象の周辺装置に関する情報は、前記制御対象の周辺装置の名称に関する情報であることを特徴とする請求項１４〜２２のいずれか１項に記載の制御方法。
【請求項２４】
前記取得された情報に対応する特定プロファイルに関する情報として、前記取得された情報に対応する特定プロファイルのディスクリプションが表示されないことを特徴とする請求項１４〜２３のいずれか１項に記載の制御方法。
【請求項２５】
前記取得された情報に対応しない特定プロファイルに関する情報として、前記取得された情報に対応する特定プロファイルのディスクリプションが表示されることを特徴とする請求項１４〜２４のいずれか１項に記載の制御方法。
【請求項２６】
特定プロファイルは、ＩＣＣプロファイルであることを特徴とする請求項１４〜２５のいずれか１項に記載の制御方法。
【請求項２７】
色変換処理に用いられる特定プロファイルに基づいて画像の入力及び出力のうち少なくとも一方を行う周辺装置を制御可能であり、複数の特定プロファイルを格納部に保持する情報処理装置であって、
前記情報処理装置が制御可能な周辺装置のうち、制御対象の周辺装置に関する情報を取得する取得手段と、
前記複数の特定プロファイルのうちいずれかをユーザに選択させるための選択領域を表示部に表示する表示手段と、を有し、
前記選択領域には、前記取得された情報に対応する特定プロファイルに関する情報と前記取得された情報に対応しない特定プロファイルに関する情報とが並行して表示され、
前記取得された情報に対応する特定プロファイルに関する情報として、前記制御対象の周辺装置に関する情報が表示され、
前記選択領域に表示される情報のうちユーザに選択された情報に対応する特定プロファイルが、入力又は出力時の色変換に使用されることを特徴とする情報処理装置。
【手続補正２】
【補正対象書類名】明細書
【補正対象項目名】０００７
【補正方法】変更
【補正の内容】
【０００７】
上述のような課題を解決するための本発明のプログラムは、色変換処理に用いられる特定プロファイルに基づいて画像の入力及び出力のうち少なくとも一方を行う周辺装置を制御可能であり、複数の特定プロファイルを格納部に保持する情報処理装置のコンピュータに、
前記情報処理装置が制御可能な周辺装置のうち、制御対象の周辺装置に関する情報を取得する取得ステップと、
前記複数の特定プロファイルのうちいずれかをユーザに選択させるための選択領域を表示部に表示する表示ステップと、を実行させ、
前記選択領域には、前記取得された情報に対応する特定プロファイルに関する情報と前記取得された情報に対応しない特定プロファイルに関する情報とが並行して表示され、
前記取得された情報に対応する特定プロファイルに関する情報として、前記取得された情報に対応する特定プロファイルのディスクリプションが表示されず、前記制御対象の周辺装置に関する情報が表示され、
前記選択領域に表示される情報のうちユーザに選択された情報に対応する特定プロファイルが、入力又は出力時の色変換に使用されることを特徴とする。